(57)【要約】【課題】 インターネツトブラウジングの時、ツールバーによるメッセージデータの送信と受信を多数のユーザーに効果的に行うことが可能となる。 【解決手段】本方法は、ユーザーの情報処理装置においてインターネット閲覧中のブラウザに、メッセージデータを配信する方法であって、ユーザーがブラウザにツールバーモジュールをインストールし、当該ツールバーモジュールの機能により複数のＵＲＬに設置された複数のメッセージデータを受信して、該複数のメッセージデータを表示用に編集して、前記ブラウザのツールバーの表示枠に表示する。さらに、前記ブラウザのツールバーモジュールによって、前記ユーザーが設定した送信設定により指定されたＵＲＬに、ユーザーが入力したメッセージデータを設置する方法であって、ユーザーは自身で入力したメッセージデータをユーザー自身のＷＷＷサイトに設置して、メッセージデータを提供することもできる。  【選択図】図１
2008117361.tif 000002
【特許請求の範囲】
【請求項１】
ユーザーの情報処理装置においてインターネット閲覧中のウエブブラウザに、メッセージデータを配信する方法であって、前記ユーザーが前記ウエブブラウザにツールバーモジュールをインストールし、当該ツールバーモジュールに含まれる登録機能を実行することにより複数のＵＲＬをローカルストレージに登録するステップと、その後、前記ユーザーが前記ウエブブラウザで閲覧する際に、前記ツールバーモジュールが前記ローカルストレージから前記複数のＵＲＬを取り出すステップと、それぞれのＵＲＬに設置された複数のメッセージデータを受信するステップと、受信した前記メッセージデータを記憶装置に記憶するステップと、前記記憶された複数のメッセージデータを表示用に編集して、前記ウエブブラウザの前記ツールバーの表示枠に表示するステップとを含む方法。
【請求項２】
前記複数のメッセージデータが暗号化されたデータであることを特徴とする請求項１に記載の方法。
【請求項３】
前記複数のメッセージデータが、それぞれ対応したリンク先ＵＲＬを含む請求項１または２に記載の方法。
【請求項４】
前記ツールバーの表示枠に表示するステップにおいて、複数のメッセージデータを時間の経過とともに表示し、表示中のメッセージデータをマウスでクリックすることにより、対応したリンク先ＵＲＬにアクセスすることができるステップと、をさらに含む請求項３に記載の方法。
【請求項５】
前記ユーザーの情報処理装置においてインターネット閲覧中の前記ウエブブラウザから、前記ユーザーが設定した送信設定により指定されたＵＲＬに、前記ユーザーが入力したメッセージデータを設置する方法であって、前記インストールされたツールバーモジュールにおいて、当該ツールバーモジュールに含まれる登録機能を実行することにより送信設定を前記ローカルストレージに登録するステップと、その後、前記ユーザーが前記ウエブブラウザで閲覧する際に、前記ツールバーモジュールに含まれるメッセージ入力機能を実行することにより、前記ユーザーがメッセージデータを入力するステップと、前記入力されたメッセージデータを送信する時に、前記ローカルストレージから前記送信設定を取り出すステップと、取り出された前記送信設定により、前記入力されたメッセージデータを指定されたＵＲＬに設置するステップと、をさらに含む請求項４に記載の方法。
【請求項６】
前記入力されたメッセージデータが暗号化されたデータであることを特徴とする請求項５に記載の方法。
【請求項７】
システムユーザーの情報処理装置においてインターネット閲覧中のウエブブラウザに、メッセージデータを配信するシステムであって、前記ユーザーが前記ウエブブラウザにツールバーモジュールをインストールし、当該ツールバーモジュールに含まれる登録機能を実行することにより複数のＵＲＬをローカルストレージに登録する登録動作部と、その後、前記ユーザーが前記ウエブブラウザで閲覧する際に、前記ツールバーモジュールが前記ローカルストレージから前記複数のＵＲＬを取り出す取出し動作部と、それぞれのＵＲＬに設置された複数のメッセージデータを受信する受信動作部と、受信した前記メッセージデータを記憶装置に記憶する記憶動作部と、前記記憶された複数のメッセージデータを表示用に編集して、前記ウエブブラウザの前記ツールバーの表示枠に表示する表示動作部とを含むシステム。
【請求項８】
前記複数のメッセージデータが暗号化されたデータであることを特徴とする請求項７に記載のシステム。
【請求項９】
前記複数のメッセージデータが、それぞれ対応したリンク先ＵＲＬを含む請求項７または８に記載のシステム。
【請求項１０】
前記ツールバーの表示枠に表示する表示動作部において、複数のメッセージデータを時間の経過とともに表示し、表示中のメッセージデータをマウスでクリックすることにより、対応したリンク先ＵＲＬにアクセスすることができるアクセス動作部と、をさらに含む請求項９に記載のシステム。
【請求項１１】
前記ユーザーの情報処理装置においてインターネット閲覧中の前記ウエブブラウザから、前記ユーザーが設定した送信設定により指定されたＵＲＬに、前記ユーザーが入力したメッセージデータを設置するシステムであって、前記インストールされたツールバーモジュールにおいて、当該ツールバーモジュールに含まれる登録機能を実行することにより送信設定を前記ローカルストレージに登録する登録動作部と、その後、前記ユーザーが前記ウエブブラウザで閲覧する際に、前記ツールバーモジュールに含まれるメッセージ入力機能を実行することにより、前記ユーザーがメッセージデータを入力する入力動作部と、前記入力されたメッセージデータを送信する時に、前記ローカルストレージから前記送信設定を取り出す取出し動作部と、取り出された前記送信設定により、前記入力されたメッセージデータを指定されたＵＲＬに設置する設置動作部と、をさらに含む請求項１０に記載のシステム。
【請求項１２】
前記入力されたメッセージデータが暗号化されたデータであることを特徴とする請求項１１に記載のシステム。 
【発明の詳細な説明】
【技術分野】
【０００１】本発明は、ユーザーがインターネットブラウジングに際して、複数のメッセージデータ提供者がそれぞれのＷｅｂページに設定した複数のメッセージデータを、ユーザーがインターネット閲覧中のウェブブラウザプログラム（Ｗｅｂページ閲覧ソフトウェア、以後ブラウザと表記）が通信で取得し、該メッセージデータをユーザーのブラウザのツールバーの表示枠に表示する方法に関する。
【背景技術】
【０００２】インターネット利用者が爆発的に増加するに伴い、インターネット上で企業や商店などはウエブサイトを開設し、このサイトを通じて、企業活動の紹介、カスタマーサービス、新製品の発表、ウエブショッピングのコンテンツなどを、利用者に提供している。このように、ウエブサイトを利用者がアクセスするのを待つような受動的な利用形態ではなく、最近は、ブラウザに付加する機能として、例えば情報提供者がツールバーを一般ユーザーに提供して、一般ユーザーがインターネットブラウジングを行う時、ブラウザで閲覧中は随時ツールバー提供者のウエブサイトからの情報を、ツールバー利用者に発信することができる利用形態も開発されてきた。【０００３】インターネット上の企業や商店などがこのツールバーを一般ユーザーに配布する形態では、まずツールバーをソフトウェア企業に発注し、次に作成されたツールバーを一般ユーザーにダウンロードしてもらい、インターネット上に開設してある自社のウエブサイトから各ユーザーのツールバーに情報を送信している。【０００４】又、一般ユーザー自身も、インターネットの利用に関して、ただ単に情報の受信者であるだけでなく、自身のホームページ、ブログ、ＳＮＳなど積極的に情報を発信するようになっている。【０００５】
【特許文献１】特開２００４−３８８８３８（Ｐ２００４−３８８８３８Ａ）「ユーザーによって入力されたＵＲＬまたは検索キーワードあるいはその両方に基づいて広告を提供するための方法およびシステム」
【発明の開示】
【発明が解決しようとする課題】
【０００６】しかし、上記のツールバーも一般ユーザーのブラウジング時において、意図する情報との乖離のため、利用度の点で、必ずしも多いわけではない。これはツールバーを一般ユーザーに配布する企業や商店に対して、ツールバーの開発コストと効果の問題点を示している。また、積極的に自身のツールバーを配布することによって情報発信したい一般のメッセージ提供者にとっても開発コストの問題は大である。【０００７】本発明はこのような従来技術の問題点を改善されるべく開発されたもので、多数の一般のメッセージデータ提供者は自身のＷｅｂサイトにメッセージデータを配置する。一方、一般ユーザーはオンラインソフト配布サイトなどで入手した本発明のツールバーをブラウザに組み込むことにより、インターネットブラウジングに際して、多数のメッセージデータ提供者のＵＲＬから選択した複数のＵＲＬを登録し、それぞれのＵＲＬから複数のメッセージデータを受信し、表示用にメッセージを編集して、ブラウザのツールバーの表示枠に表示する。さらに、一般ユーザーは自身のＷｅｂサイトがあれば、ツールバーモジュールの機能を使用して、メッセージを入力して自身のＷｅｂサイトにメッセージデータを配置することにより、メッセージデータ提供者となることもできる。【０００８】なお、一般ユーザーがＵＲＬを登録するのとは別に、ツールバー提供者は、メッセージデータ提供者として既登録のＵＲＬをツールバーモジュールに組み込む形式にしてもよい。
【課題を解決するための手段】
【０００９】上記課題を解決するため、請求項１に記載の発明においては、ユーザーの情報処理装置においてインターネット閲覧中のウエブブラウザに、メッセージデータを配信する方法であって、前記ユーザーが前記ウエブブラウザにツールバーモジュールをインストールし、当該ツールバーモジュールに含まれる登録機能を実行することにより複数のＵＲＬをローカルストレージに登録するステップと、その後、前記ユーザーが前記ウエブブラウザで閲覧する際に、前記ツールバーモジュールが前記ローカルストレージから前記複数のＵＲＬを取り出すステップと、それぞれのＵＲＬに設置された複数のメッセージデータを受信するステップと、受信した前記メッセージデータを記憶装置に記憶するステップと、前記記憶された複数のメッセージデータを表示用に編集して、前記ウエブブラウザの前記ツールバーの表示枠に表示するステップとを含む方法であることを特徴としている。【００１０】また、上記課題を解決するため、請求項２に記載の発明においては、前記複数のメッセージデータが暗号化されたデータであることを特徴とする請求項１に記載の方法であることを特徴としている。【００１１】また、上記課題を解決するため、請求項３に記載の発明においては、前記複数のメッセージデータが、それぞれ対応したリンク先ＵＲＬを含む請求項１または２に記載の方法であることを特徴としている。【００１２】また、上記課題を解決するため、請求項４に記載の発明においては、前記ツールバーの表示枠に表示するステップにおいて、複数のメッセージデータを時間の経過とともに表示し、表示中のメッセージデータをマウスでクリックすることにより、対応したリンク先ＵＲＬにアクセスすることができるステップと、をさらに含む請求項３に記載の方法であることを特徴としている。【００１３】また、上記課題を解決するため、請求項５に記載の発明においては、前記ユーザーの情報処理装置においてインターネット閲覧中の前記ウエブブラウザから、前記ユーザーが設定した送信設定により指定されたＵＲＬに、前記ユーザーが入力したメッセージデータを設置する方法であって、前記インストールされたツールバーモジュールにおいて、当該ツールバーモジュールに含まれる登録機能を実行することにより送信設定を前記ローカルストレージに登録するステップと、その後、前記ユーザーが前記ウエブブラウザで閲覧する際に、前記ツールバーモジュールに含まれるメッセージ入力機能を実行することにより、前記ユーザーがメッセージデータを入力するステップと、前記入力されたメッセージデータを送信する時に、前記ローカルストレージから前記送信設定を取り出すステップと、取り出された前記送信設定により、前記入力されたメッセージデータを指定されたＵＲＬに設置するステップと、をさらに含む請求項４に記載の方法であることを特徴としている。【００１４】また、上記課題を解決するため、請求項６に記載の発明においては、前記入力されたメッセージデータが暗号化されたデータであることを特徴とする請求項５に記載の方法であることを特徴としている。【００１５】また、上記課題を解決するため、請求項７に記載の発明においては、ユーザーの情報処理装置においてインターネット閲覧中のウエブブラウザに、メッセージデータを配信するシステムであって、前記ユーザーが前記ウエブブラウザにツールバーモジュールをインストールし、当該ツールバーモジュールに含まれる登録機能を実行することにより複数のＵＲＬをローカルストレージに登録する登録動作部と、その後、前記ユーザーが前記ウエブブラウザで閲覧する際に、前記ツールバーモジュールが前記ローカルストレージから前記複数のＵＲＬを取り出す取出し動作部と、それぞれのＵＲＬに設置された複数のメッセージデータを受信する受信動作部と、受信した前記メッセージデータを記憶装置に記憶する記憶動作部と、前記記憶された複数のメッセージデータを表示用に編集して、前記ウエブブラウザの前記ツールバーの表示枠に表示する表示動作部とを含むシステムであることを特徴としている。【００１６】また、上記課題を解決するため、請求項８に記載の発明においては、前記複数のメッセージデータが暗号化されたデータであることを特徴とする請求項７に記載のシステムであることを特徴としている。【００１７】また、上記課題を解決するため、請求項９に記載の発明においては、前記複数のメッセージデータが、それぞれ対応したリンク先ＵＲＬを含む請求項７または８に記載のシステムであることを特徴としている。【００１８】また、上記課題を解決するため、請求項１０に記載の発明においては、前記ツールバーの表示枠に表示する表示動作部において、複数のメッセージデータを時間の経過とともに表示し、表示中のメッセージデータをマウスでクリックすることにより、対応したリンク先ＵＲＬにアクセスすることができるアクセス動作部と、をさらに含む請求項９に記載のシステムであることを特徴としている。【００１９】また、上記課題を解決するため、請求項１１に記載の発明においては、前記ユーザーの情報処理装置においてインターネット閲覧中の前記ウエブブラウザから、前記ユーザーが設定した送信設定により指定されたＵＲＬに、前記ユーザーが入力したメッセージデータを設置するシステムであって、前記インストールされたツールバーモジュールにおいて、当該ツールバーモジュールに含まれる登録機能を実行することにより送信設定を前記ローカルストレージに登録する登録動作部と、その後、前記ユーザーが前記ウエブブラウザで閲覧する際に、前記ツールバーモジュールに含まれるメッセージ入力機能を実行することにより、前記ユーザーがメッセージデータを入力する入力動作部と、前記入力されたメッセージデータを送信する時に、前記ローカルストレージから前記送信設定を取り出す取出し動作部と、取り出された前記送信設定により、前記入力されたメッセージデータを指定されたＵＲＬに設置する設置動作部と、をさらに含む請求項１０に記載のシステムであることを特徴としている。【００２０】また、上記課題を解決するため、請求項１２に記載の発明においては、前記入力されたメッセージデータが暗号化されたデータであることを特徴とする請求項１１に記載のシステムであることを特徴としている。 
【発明の効果】
【００２１】本発明は、前記方法により、一般のメッセージデータ提供者は、自身のウエブサイトにメッセージデータを配置することにより、インターネットブラウジングをしている友人・仲間とか同好の士などにツールバーをダウンロードしてもらうことによって、メッセージデータを送信することができる。また、メッセージデータを配信してもらうユーザーも自身のＷｅｂサイトがあれば、ツールバーモジュールの機能を使用して、メッセージを入力して自身のＷｅｂサイトにメッセージデータを配置することにより、メッセージデータ提供者となることもできる。したがって、簡便にチャットすることも可能となる。本発明はブラウザに組み込まれたツールバーとして機能するので、インターネット閲覧中に同一画面で、メッセージデータのやり取りができることに特徴がある。【００２２】さらに、ツールバー提供者（例えば広告提供者）は、メッセージデータ提供者として多数の一般ユーザーにメッセージデータ（広告）を配信することが可能となるので、よりタイムリーで、コストパフォーマンスに優れた広告効果が期待できる。
【発明を実施するための最良の形態】
【００２３】以下、本発明の好適な実施形態として、図示例と共に説明する。なお以降に示す実施形態は、本発明を説明するために提示しており、様々な仕方で変更することができる。したがって、本発明は、本発明の特定の実施形態に限定されないことを理解されたい。また、本実施例はブラウザとしてはマイクロソフト・コーポレーションのInternet Explorer、開発はＶＳＣ++の実施例で示している。「ツールバーモジュール」と表現しているが、ツールバー、ＢＨＯ（ブラウザヘルパーオブジェクト）、通信、暗号などのモジュールを含んでいる。本発明の情報処理装置としては、通常、パーソナルコンピュータやワークステーションなどのコンピュータ端末が用いられる。この他、インターネット等に接続可能なブラウザ機能を搭載した携帯電話をはじめとする無線通信端末、携帯情報端末や、その他のネットワーク接続機能とブラウザ機能を備えた家電製品などの機器を広く含む。【００２４】（第一の実施形態）図１は本発明の概略図である。一般ユーザーが使用する情報処理装置３は本発明のツールバーがインストールされているブラウザにより、インターネット上の世界中のＷＷＷサイト１にアクセスし、ネットサーフィンが可能である。ユーザーが前記ブラウザでホームページを閲覧する時、前記ブラウザはメッセージデータが設置してある複数のメッセージ提供者のＷＷＷサイト２にアクセスをして、複数のメッセージデータを受信して、該メッセージを前記ブラウザのツールバーの表示枠に表示する。【００２５】図２は、複数のメッセージ提供者１５とオンラインソフト配布サイト１６と複数のメッセージ提供者ＷＷＷサイト１７と一般ユーザーの情報処理装置１８との関係を示している。メッセージ提供者１５は対応するメッセージ提供者ＷＷＷサイト１７に複数のメッセージデータを設置している。一般ユーザーは情報処理装置１８にインストール済みのブラウザにオンラインソフト配布サイト１６から取得したツールバーをインストールして組み込む。前記ブラウザを使用することにより、一般ユーザーはインターネットブラウジングに際し、複数のメッセージ提供者のＷＷＷサイト１７から複数のメッセージを受信して、該メッセージを前記ブラウザのツールバーの表示枠に表示できるようになる。本図でオンラインソフト配布サイト１６でツールバーを配布するように図示されているが、ユーザーに配布する方法は如何様でもよい。メッセージ提供者がメール添付で配布することも可能である。【００２６】図３は、一般ユーザーの情報処理装置内のブラウザにインストールされたツールバーモジュールがメッセージ提供者ＷＷＷサイトとどのような情報のやり取りを行うかを示している。一般ユーザーのブラウザ３４は、ブラウザ基本モジュール３５と本発明のツールバーモジュール３６を内包している。ブラウザ基本モジュール３５はインターネット上のＷＷＷサイト３１を閲覧中である。ツールバーモジュール３６は、登録された複数のＵＲＬをローカルストレージ３８から取り出し、取り出された複数のＵＲＬに基づいて複数のメッセージ提供者のＷＷＷサイト３２にアクセスして、それぞれの複数のメッセージデータを取得する。次に、取得されたメッセージデータを記憶装置３７に記憶し��表示用に編集し、ブラウザ３４の画面上のツールバーの表示枠に表示する。【００２７】図４は、ユーザーのブラウザにおいて、ディスプレイ装置に表示されるブラウザ画面の説明である。ツールバーのメッセージ表示枠４１には、複数のＵＲＬにそれぞれ設置された複数のメッセージデータを受信し、記憶された複数のメッセージを表示用に編集して、順次ティッカー表示されている。登録ボタン４２は、クリックすると、登録ダイアログが表示され、一般ユーザーはツールバーモジュールの登録機能を利用して、メッセージデータ提供者のＵＲＬをローカルストレージにＵＲＬデータとして記憶させる。メッセージデータ提供者のＵＲＬは複数登録できる。一般ユーザーは登録ダイアログにより、複数のＵＲＬを随時、新規登録、および削除することができる。このメッセージ表示枠４１をマウスでクリックすることにより、表示中のメッセージに対応しているリンク先のＵＲＬをアクセスしＷｅｂページを表示する。前記メッセージ表示枠はツールバーに複数設けて、メッセージの種別により振り分けるようにしてもよい。メッセージ表示枠は前記説明のティッカー表示ではなく、コンボボックスの形式で、右端のボタンを押すとメッセージの一覧が表示される形態でもよい。【００２８】図５は、図４の登録ボタン４２で登録されたＵＲＬデータのデータ構造を簡略化して図示したものである。ＵＲＬデータは複数件のデータで構成されており、１件のデータはＵＲＬデータ、名称などの項目があり、図３のローカルストレージ３８に記憶される。【００２９】図６は、メッセージデータのデータ構造を簡略化して図示したものである。メッセージデータはメッセージ提供者のＵＲＬアドレスのサイトに設置されている。本実施例の暗号化しない最も簡単な場合では、データ形式はテキストデータのＣＳＶ形式である。また、メッセージデータは複数件のデータで構成されており、１件のデータはメッセージと対応したリンク先ＵＲＬなどの項目がある。【００３０】図６−１は、図４のメッセージ表示枠４１に表示されるメッセージがどのように構築されるかを示している。本図では、例として左側にＵＲＬデータが２件図示されている。番号1のＵＲＬ（www.pp・・・）アドレスのメッセージ提供者ＷＷＷサイトに設置されたメッセージデータは、番号ａ１、ａ２、ａ３の３件のデータで構成されている。番号２のＵＲＬ（www.qq・・・）アドレスのメッセージ提供者ＷＷＷサイトに設置されたメッセージデータは、番号ｂ１、ｂ２の２件のデータで構成されている。本例では、最も単純な形式として、全メッセージデータを集合する。従って、表示用のメッセージデータは下部に図示されるように、５件のメッセージデータで構成され、メッセージが表示枠に順番にティッカー表示される。５件目の表示が終了するとまた１件目から表示する。ここで、ＵＲＬデータは２件図示されているが、図４の登録機能により、随時変更可能であり、メッセージデータに於いても、メッセージ提供者はメッセージ提供者ＷＷＷサイト上のメッセージデータを随時更新することが可能であるので、本例のようにツールバーロードの初期時とか、後述するタイマーの時間間隔により、表示用メッセージデータは絶えず更新させることができ���。【００３１】図７は、ツールバーモジュールにおけるメッセージ処理関数のフローチャートである。ブラウザにイベントが発生するとこのメッセージ処理関数を実行する。ブラウザがツールバーをロードしてから、まず最初にアクセスしたページの表示の最後（Ｓ７１）で且つ初期フラグが真（Ｓ７２）であれば、登録されたＵＲＬデータの全てのＵＲＬにアクセスして、設置されたメッセージデータを通信で取得し記憶する（Ｓ７３）。次に取得したメッセージデータをツールバーの表示に適したデータ構造に変換し記憶する（Ｓ７４）。次に初期フラグを偽に設定する（Ｓ７５）。なお、処理Ｓ７３で取得したメッセージデータが暗号化されていた場合、この処理の後で復号化処理を行う。【００３２】図８は、ブラウザ起動時に処理するツールバーの初期化処理において、ツールバー作成処理関数のフローチャートである。まずツールバーの初期化処理を行う（Ｓ８１）。次にツールバーを作成する（Ｓ８２）。次に、メッセージをティッカー表示するためのタイマーを設定する（Ｓ８３）。最後に終了処理を行う（Ｓ８４）【００３３】図９は、複数のメッセージをティッカー表示する為に、図８で設定したタイマーにより、ある一定の時間間隔でこの処理関数を実行する。タイマーＩＤが一致すると（Ｓ９１）、カレントメッセージをツールバーの表示枠の中でティッカー表示する（Ｓ９２）。【００３４】図１０は、ツールバーの表示枠の中でティッカー表示されているメッセージをマウスでクリックした時に発生するイベント関数の処理である。マウスでクリックした座標からメッセージを特定する（Ｓ１０１）。次に、その特定されたメッセージと対応するリンクＵＲＬを記憶装置から取得して、リンク先のＵＲＬのＷｅｂページの表示を行う。【００３５】（第二の実施形態）次に、第二の実施形態について説明する。第一の実施形態においては、本発明を利用するユーザーはメッセージデータを受信するだけであったが、第二の実施形態では、ユーザーは自身で入力したメッセージデータをユーザー自身のＷＷＷサイトに設置して、メッセージデータを提供することもできる。【００３６】図１１はその概略図である。一般ユーザーが使用する情報処理装置２０４は本発明のツールバーがインストールされているブラウザにより、インターネット上の世界中のＷＷＷサイト２０１にアクセスし、ネットサーフィンが可能である。前記ユーザーが前記ブラウザでホームページを閲覧する時、前記ブラウザのツールバーモジュールはメッセージデータが設置してある複数のメッセージ提供者のＷＷＷサイト２０２にアクセスをして、複数のメッセージデータを受信し、該メッセージを前記ブラウザのツールバーの表示枠に表示する。また、前記一般ユーザーがアカウントを持つＷＷＷサイト２０３に、前記ツールバーモジュールの機能により、前記ユーザー自身が入力したメッセージデータを設置することで、本発明のツールバーがインストールされているブラウザを使用している多くのインターネット閲覧者にメッセージデータを提供できる。【００３７】尚、前記ユーザーの利用形態は、メッセージデータを受信だけする場合、メッセージデータを送信だけする場合、メッセージデータを送受信する場合の３���りが考えられる。送受信する場合の利用形態の一つとして、それぞれの利用者が自身のＷＷＷサイトにメッセージデータを送信し、自身以外のメッセージ提供ＵＲＬを登録することで、簡便にチャットすることも可能となる。もちろんメッセージ提供ＵＲＬの一つを自身のＷＷＷサイトのＵＲＬにすることもできる。【００３８】図１３は、一般ユーザーの情報処理装置内のブラウザ１３４にインストールされたツールバーモジュール１３６が、メッセージ提供者のＷＷＷサイトおよび自身がアカウントを持つＷＷＷサイトと、どのような情報のやり取りを行うかを示している。前記一般ユーザーのブラウザ１３４は、ブラウザ基本モジュール１３５と本発明のツールバーモジュール１３６を内包している。ブラウザ基本モジュール１３５はインターネット上のＷＷＷサイト１３１を閲覧中である。ツールバーモジュール１３６は、登録された複数のＵＲＬをローカルストレージ１３８から取り出し、取り出された複数のＵＲＬに基づいて複数のメッセージ提供者のＷＷＷサイト１３２にアクセスして、それぞれの複数のメッセージデータを取得する。次に、取得されたメッセージデータを記憶装置１３７に記憶し、表示用に編集し、ブラウザ１３４の画面上のツールバーの表示枠に表示する。また、前記一般ユーザーは、ツールバーモジュール１３６の機能を使用して、メッセージデータを入力し、自身がアカウントを持つＷＷＷサイト１３３に、ローカルストレージ１３８から取り出した送信設定に基づいて、入力したメッセージデータを送信して設置する。【００３９】図１４は、一般ユーザーのブラウザにおいて、ディスプレイ装置に表示されるブラウザ画面の説明である。ツールバーのメッセージ表示枠１４１には、複数のＵＲＬにそれぞれ設置された複数のメッセージデータを受信し記憶装置に記憶させ、該記憶された複数のメッセージデータを表示用に編集したメッセージが、順次ティッカー表示されている。前記一般ユーザーが登録ボタン１４３を、クリックすることにより、メニューからＵＲＬ登録ダイアログを選択して、メッセージデータ提供者のＵＲＬを入力し、該ＵＲＬをローカルストレージに記憶させる。メッセージデータ提供者のＵＲＬは複数登録できる。前記一般ユーザーはＵＲＬ登録ダイアログにより、複数のＵＲＬを随時、新規登録、および削除することができる。このメッセージ表示枠１４１をマウスでクリックすることにより、表示中のメッセージに対応しているリンク先のＵＲＬをアクセスしＷｅｂページを表示する。前記メッセージ表示枠はツールバーに複数設けて、メッセージの種別により振り分けるようにしてもよい。メッセージ表示枠は前記説明のティッカー表示ではなく、コンボボックスの形式で、右端のボタンを押すとメッセージの一覧が表示される形態でもよい。【００４０】また、ツールバーのメッセージ入力枠１４２に、前記一般ユーザーはメッセージを入力し、入力されたメッセージ等のデータは、送信設定に基づいて、前記一般ユーザー自身がアカウントを持つＷＷＷサイトに送信される。【００４１】前記一般ユーザーが登録ボタン１４３を、クリックすることにより、メニューから送信設定登録ダイアログを選択して、メッセージデータを送信するための設定���報であるＦＴＰサーバー名、ＦＴＰアカウント名、ＦＴＰパスワード、ディレクトリ／ファイル名などを入力し、ローカルストレージに記憶させる。【００４２】本例では、ツールバーにメッセージ入力枠を設けて１メッセージを入力する例を示したが、ツールバーに入力ボタンを配置して、ダイアログで多数のメッセージデータを入力する形式にしてもよい。【００４３】なお、メッセージデータを暗号化して、メッセージ提供者とメッセージ受信者が暗号用パスワードを共有することにより、よりセキュリテイーを高めることができる。【００４４】なお、本明細書で述べたメッセージデータには、文字データ、文字属性データ、音声データ、動画データなどが含まれる。【００４５】本発明のブラウザにおけるメッセージの配信方法は、マイクロソフト・コーポレーションのInternet Explorerに組み込むツールバーモジュールを実施例として示したが、他の既存ブラウザも同様であり、新規開発のプラウザでも実装可能である。また、前記仕様は発明を限定するためのものではなく、他のブラウザ、開発環境であれば、当然イベント処理の形態、言語仕様等が異なる。従って、頭記の特許請求の範囲で定義された各処理部と同等の機能を有する変形形態は本発明の範囲に含まれるものとする。 
【図面の簡単な説明】
【００４６】
【図１】本発明の第一の実施形態における概略図である。
【図２】ユーザーの情報処理装置とメッセージ提供者とそのメッセージ提供ＵＲＬとオンライン配布サイトの関係図である。
【図３】ユーザーのブラウザにインストールされたツールバーモジュールとメッセージデータが設置されているメッセージ提供者のＵＲＬとの詳しい説明である。
【図４】ユーザーのブラウザ画面のツールバーにおけるメッセージ表示枠と登録ボタンについての詳しい説明である。
【図５】ＵＲＬデータの説明である。
【図６】メッセージデータの説明である。
【図６−１】ＵＲＬデータとメッセージデータと表示用メッセージデータの説明である。
【図７】メッセージ処理関数のフローチャートである。
【図８】ツールバー作成処理関数のフローチャートである。
【図９】タイマー処理関数のフローチャートである。
【図１０】メッセージ表示枠クリックイベント処理関数のフローチャートである。
【図１１】本発明の第二の実施形態における概略図である。
【図１２】ユーザーのブラウザにインストールされたツールバーモジュールとメッセージ提供者のＷＷＷサイトおよびユーザー自身がアカウントを持つＷＷＷサイトとの詳しい説明である。
【図１３】ユーザーのブラウザ画面のツールバーにおけるメッセージ表示枠とメッセージ入力枠と登録ボタンについての詳しい説明である。
【符号の説明】
【００４７】１  ユーザーが閲覧中のＷＷＷサイト２  メッセージ提供者ＷＷＷサイト３  ユーザーのブラウザがインストールされた情報処理装置１５  メッセージ提供者１６  オンラインソフト配布サイト１７  メッセージ提供者ＷＷＷサイト１８  ユーザーのブラウザがインストールされた情報処理装置３１  世界中のＷＷＷサイト３２  メッセージ提供者ＷＷＷサイト３４  ユーザーのブラウザ３５  ブラウザ基本モジュール３６  ツールバーモジュール３７  記憶装置３８  ローカルストレージ４１  ツールバーのメッセージ表示枠４２  登録ボタン１３１ 世界中のＷＷＷサイト１３２ メッセージ提供者ＷＷＷサイト１３３ ユーザーがアカウントを持つユーザーのＷＷＷサイト１３４ ユーザーが閲覧中のブラウザ１３５ ブラウザ基本モジュール１３６ ツールバーモジュール１３７ 記憶装置１３８ ローカルストレージ２０１ ユーザーが閲覧中のＷＷＷサイト２０２ メッセージ提供者ＷＷＷサイト２０３ ユーザーがアカウントを持つユーザーのＷＷＷサイト２０４ ユーザーのブラウザがインストールされた情報処理装置
【図１】
2008117361.tif 000003
【図２】
2008117361.tif 000004
【図３】
2008117361.tif 000005
【図４】
2008117361.tif 000006
【図５】
2008117361.tif 000007
【図６】
2008117361.tif 000008
【図６−１】
2008117361.tif 000009
【図７】
2008117361.tif 000010
【図８】
2008117361.tif 000011
【図９】
2008117361.tif 000012
【図１０】
2008117361.tif 000013
【図１１】
2008117361.tif 000014
【図１２】
2008117361.tif 000015
【図１３】
2008117361.tif 000016
【手続補正書】
【提出日】平成19年3月20日(2007.3.20)
【手続補正１】
【補正対象書類名】明細書
【補正対象項目名】００３８
【補正方法】変更
【補正の内容】
【００３８】
図１２は、一般ユーザーの情報処理装置内のブラウザ１３４にインストールされたツールバーモジュール１３６が、メッセージ提供者のＷＷＷサイトおよび自身がアカウントを持つＷＷＷサイトと、どのような情報のやり取りを行うかを示している。
前記一般ユーザーのブラウザ１３４は、ブラウザ基本モジュール１３５と本発明のツールバーモジュール１３６を内包している。ブラウザ基本モジュール１３５はインターネット上のＷＷＷサイト１３１を閲覧中である。ツールバーモジュール１３６は、登録された複数のＵＲＬをローカルストレージ１３８から取り出し、取り出された複数のＵＲＬに基づいて複数のメッセージ提供者のＷＷＷサイト１３２にアクセスして、それぞれの複数のメッセージデータを取得する。次に、取得されたメッセージデータを記憶装置１３７に記憶し、表示用に編集し、ブラウザ１３４の画面上のツールバーの表示枠に表示する。また、前記一般ユーザーは、ツールバーモジュール１３６の機能を使用して、メッセージデータを入力し、自身がアカウントを持つＷＷＷサイト１３３に、ローカルストレージ１３８から取り出した送信設定に基づいて、入力したメッセージデータを送信して設置する。
【手続補正２】
【補正対象書類名】明細書
【補正対象項目名】００３９
【補正方法】変更
【補正の内容】
【００３９】
図１３は、一般ユーザーのブラウザにおいて、ディスプレイ装置に表示されるブラウザ画面の説明である。ツールバーのメッセージ表示枠１４１には、複数のＵＲＬにそれぞれ設置された複数のメッセージデータを受信し記憶装置に記憶させ、該記憶された複数のメッセージデータを表示用に編集したメッセージが、順次ティッカー表示されている。
前記一般ユーザーが登録ボタン１４３を、クリックすることにより、メニューからＵＲＬ登録ダイアログを選択して、メッセージデータ提供者のＵＲＬを入力し、該ＵＲＬをローカルストレージに記憶させる。メッセージデータ提供者のＵＲＬは複数登録できる。前記一般ユーザーはＵＲＬ登録ダイアログにより、複数のＵＲＬを随時、新規登録、および削除することができる。
このメッセージ表示枠１４１をマウスでクリックすることにより、表示中のメッセージに対応しているリンク先のＵＲＬをアクセスしＷｅｂページを表示する。
前記メッセージ表示枠はツールバーに複数設けて、メッセージの種別により振り分けるようにしてもよい。
メッセージ表示枠は前記説明のティッカー表示ではなく、コンボボックスの形式で、右端のボタンを押すとメッセージの一覧が表示される形態でもよい。